(57)【要約】【課題】排泄物の漏れを抑制することを可能とした吸収性物品を提供する。【解決手段】外装体１２Ｆ，１２Ｒの上部領域１２ＦＵ，１２ＲＵは、上部弾性部材１５ＦＵ，１５ＲＵを備えた内部弾性部２７Ｆ，２７Ｒを備え、下部領域１２ＦＤ，１２ＲＤは、下部弾性部材１５ＦＤ，１５ＲＤを備えた外部弾性部２８Ｆ，２８Ｒを備える。内部弾性部２７Ｆ，２７Ｒは、被接着部１６Ａに対して非接着であり、ポケット３０Ｆ，３０Ｒを構成する。吸収体１８の腹側端部１８Ｆは、腹側上部領域１２ＦＵの下端部より上側に位置し、背側端部１８Ｒは、背側上部領域１２ＲＵの下端部において、最下段に位置する背側の上部弾性部材１５ＲＵより股下側に位置している。【選択図】図２
2018064698.tif 000002
【特許請求の範囲】
【請求項１】
腹部を覆う腹側外装部と、
背部を覆う背側外装部と、
前記腹側外装部と前記背側外装部との間に延在する吸収体を備える吸収性本体であって、前後方向における前記吸収性本体の両端部に、前記腹側外装部および前記背側外装部と重なる被接着部を備えた前記吸収性本体とを備え、
前記腹側外装部は、腹側上部領域と、前記腹側上部領域よりも股下側に位置する腹側下部領域とを備え、
前記背側外装部は、背側上部領域と、前記背側上部領域よりも前記股下側に位置する背側下部領域とを備え、
前記腹側上部領域および前記背側上部領域の各々は、内部弾性部を備え、前記内部弾性部は、上部弾性部材と、前記上部弾性部材を挟むシートとを含み、前記上部弾性部材は、前記吸収性本体よりも肌側となる内側に位置し、
前記腹側下部領域および前記背側下部領域の各々は、外部弾性部を備え、前記外部弾性部は、下部弾性部材と、前記下部弾性部材を挟むシートとを含み、前記下部弾性部材は、前記吸収性本体よりも外側に位置し、
前記各内部弾性部は、前記被接着部に対して非接着とされ、かつ、前記被接着部の周囲において前記吸収性本体より外側に位置する外部シート部に対して接着されることで、開口端が前記股下側を向くポケットを前記被接着部上に構成し、前記各外部弾性部は、前記被接着部に対して接着されており、
前記吸収体の腹側端部は、前記腹側上部領域の下端部より上側に位置し、
前記吸収体の背側端部は、前記背側上部領域の下端部において、最下段に位置する背側の前記上部弾性部材より前記股下側に位置している吸収性物品。
【請求項２】
前記腹側上部領域の上下方向の長さは、前記背側上部領域の上下方向の長さより長く形成されている
請求項１に記載の吸収性物品。
【請求項３】
前記腹側端部は、前記腹側上部領域の下端部において、少なくとも最下段に位置する腹側の前記上部弾性部材と重なり、
前記背側端部は、前記背側上部領域の下端部より前記股下側に位置する
請求項１または２に記載の吸収性物品。
【請求項４】
前記背側端部と前記最下段に位置する背側の前記上部弾性部材との間隔は、前記背側端部の厚さの３倍以下である
請求項１ないし３のうち何れか１項に記載の吸収性物品。
【請求項５】
前記背側端部と前記最下段に位置する背側の前記上部弾性部材との間隔は、前記背側外装部の上下方向おける長さの２０％以下である
請求項１ないし３のうち何れか１項に記載の吸収性物品。
【請求項６】
前記背側下部領域における前記下部弾性部材は、複数本で構成され、
前記複数本の前記下部弾性部材のなかで前記吸収体と重なる一部の前記下部弾性部材は、伸長状態で配置されている
請求項１ないし５のうち何れか１項に記載の吸収性物品。
【発明の詳細な説明】
【技術分野】
【０００１】
本発明は、吸収性物品に関する。
【背景技術】
【０００２】
使い捨ておむつの中には、前身頃を構成する腹側外装部と、後身頃を構成する背側外装部と、前端部が腹側外装部に接合され後端部が背側外装部に接合される吸収性本体とを備えるものがある。そして、特許文献１に示すように、使い捨ておむつには、着用者の腹部と接する内面および背部と接する内面に、股下部側を開口端としたポケットが構成されている。ポケットは、開口端から進入した排泄物を収容することで、排泄物が腹部から漏れる腹漏れや背部から漏れる背漏れを抑制する。
【先行技術文献】
【特許文献】
【０００３】
【特許文献１】特開２０１６−１０１３２２号公報
【発明の概要】
【発明が解決しようとする課題】
【０００４】
ところで、例えば乳幼児の体型は、腹部側は股間部分において窪み部を有しており、背部側は、臀部が出っ張っている。したがって、腹部側のポケットの開口端は、股間部分が窪んでいることで開いた状態になりやすく、排泄物もポケット内に進入しやすくなる。また、腹側のポケットは、尿などの液体が多く流入する傾向があり、小さ過ぎると腹漏れの原因となる。
【０００５】
一方で、背部側のポケットの開口端は、出っ張った臀部によって塞がりやすく、排泄物がポケット内に流入しにくく、背漏れの原因ともなる。このような体型の特徴は、成人にあっても、これと近い傾向がある。
【０００６】
本発明は、排泄物の漏れを抑制することを可能とした吸収性物品を提供することを目的とする。
【課題を解決するための手段】
【０００７】
上記課題を解決するための吸収性物品は、腹部を覆う腹側外装部と、背部を覆う背側外装部と、前記腹側外装部と前記背側外装部との間に延在する吸収体を備える吸収性本体であって、前後方向における前記吸収性本体の両端部に、前記腹側外装部および前記背側外装部と重なる被接着部を備えた前記吸収性本体とを備える。前記腹側外装部は、腹側上部領域と、前記腹側上部領域よりも股下側に位置する腹側下部領域とを備え、前記背側外装部は、背側上部領域と、前記背側上部領域よりも前記股下側に位置する背側下部領域とを備える。前記腹側上部領域および前記背側上部領域の各々は、内部弾性部を備え、前記内部弾性部は、上部弾性部材と、前記上部弾性部材を挟むシートとを含み、前記上部弾性部材は、前記吸収性本体よりも肌側となる内側に位置する。前記腹側下部領域および前記背側下部領域の各々は、外部弾性部を備え、前記外部弾性部は、下部弾性部材と、前記下部弾性部材を挟むシートとを含み、前記下部弾性部材は、前記吸収性本体よりも外側に位置する。前記各内部弾性部は、前記被接着部に対して非接着とされ、かつ、前記被接着部の周囲において前記吸収性本体より外側に位置する外部シート部に対して接着されることで、開口端が前記股下側を向くポケットを前記被接着部上に構成し、前記各外部弾性部は、前記被接着部に対して接着されている。前記吸収体の腹側端部は、前記腹側上部領域の下端部より上側に位置し、前記吸収体の背側端部は、前記背側上部領域の下端部において最下段に位置する背側の前記上部弾性部材より前記股下側に位置している。
【０００８】
上記構成によれば、吸収体の腹側端部は、腹側上部領域の下端部より上側に位置することで、腹側のポケットに進入した排泄物を吸収体で吸収することができる。このように、吸収体の吸収面を無駄なく利用することで、腹漏れの発生を抑制することができる。また、吸収体の背側端部は、最下段に位置する背側の上部弾性部材より股下側に位置することで、仰向けの状態で臀部により背側外装体が押圧されても、吸収体の背側端部の厚さの分、背側端部の近傍に空隙部を設けることができ、空隙部に、背側のポケットの開口端を位置させることができる。したがって、背側のポケットの開口端が臀部によって塞がれることを防ぐことができる。
【０００９】
上記吸収性物品において、前記腹側上部領域の上下方向の長さは、前記背側上部領域の上下方向の長さより長く形成されている構成としてもよい。
上記構成によれば、腹側のポケットを深く大きいものとすることができる。したがって、腹側のポケットは、尿などの排泄物を収容するための容積を十分確保でき、腹漏れの発生を抑制することができる。また、背側のポケットは、その開口端を、臀部の割れ目の上側に位置させることができる。したがって、背側のポケットには、割れ目を伝った尿などの排泄物が進入し易くなり、背漏れの発生を抑制することができる。
【００１０】
上記吸収性物品において、前記腹側端部は、前記腹側上部領域の下端部において、少なくとも最下段に位置する腹側の前記上部弾性部材と重なり、前記背側端部は、前記背側上部領域の下端部より前記股下側に位置する構成としてもよい。
【００１１】
上記構成によれば、吸収体の腹側端部は、腹側上部領域の下端部において、少なくとも最下段に位置する腹側の前記上部弾性部材と重なるように構成されることで、腹側のポケットに進入した排泄物を吸収体で吸収することができる。また、背側端部は、背側上部領域の下端部より股下側に位置することで、仰向けの状態で臀部により背側外装体が押圧されても、吸収体の背側端部の厚さの分、背側端部の近傍に空隙部を設けることができる。
【００１２】
上記吸収性物品において、前記背側端部と前記最下段に位置する背側の前記上部弾性部材との間隔は、前記背側端部の厚さの３倍以下としてもよい。
上記構成によれば、臀部と背側外装体との間に構成される空隙部を確実に形成することができる。
【００１３】
上記吸収性物品において、前記背側端部と前記最下段に位置する背側の前記上部弾性部材との間隔は、前記背側外装体の上下方向おける長さの２０％以下としてもよい。
上記構成によれば、臀部と背側外装体との間に構成される空隙部を確実に形成することができる。
【００１４】
上記吸収性物品において、前記背側下部領域における前記下部弾性部材は、複数本で構成され、前記複数本の前記下部弾性部材のなかで前記吸収体と重なる一部の前記下部弾性部材は、伸長状態で配置されている構成としてもよい。
【００１５】
上記構成によれば、伸長状態の下部弾性部材によって、背側ポケットの開口端の近くの吸収体に、ひだを形成することができる。ひだが形成された部分では、ひだが形成されていない領域より厚みが増すことになる。これにより、着用者の臀部において、空隙部をより大きなものとすることができ、一層、背側のポケットの開口端が閉塞されにくくすることができる。
【発明の効果】
【００１６】
本発明によれば、排泄物の漏れを抑制することを可能とした。
【図面の簡単な説明】
【００１７】
【図１】本発明の吸収性本体を具体化した第１実施形態におけるパンツ型使い捨ておむつの斜視図。
【図２】（ａ）は、第１実施形態におけるパンツ型使い捨ておむつの展開状態を示す平面図、（ｂ）は、（ａ）のａ−ａ断面図。
【図３】（ａ）は、上部領域の接着領域を図２（ａ）に対応して示す平面図、（ｂ）は、下部領域の接着領域を図２（ａ）に対応して示す平面図。
【図４】おむつが装着された状態の要部断面図。
【図５】背側ポケットの近傍の要部断面図。
【図６】第２実施形態におけるパンツ型使い捨ておむつの断面図。
【図７】第３実施形態におけるパンツ型使い捨ておむつの断面図。
【図８】第４実施形態におけるパンツ型使い捨ておむつの断面図。
【図９】第５実施形態におけるパンツ型使い捨ておむつの断面図。
【図１０】第６実施形態におけるパンツ型使い捨ておむつの断面図。
【図１１】第７実施形態におけるパンツ型使い捨ておむつの断面図。
【図１２】第８実施形態におけるパンツ型使い捨ておむつの断面図。
【図１３】第９実施形態におけるパンツ型使い捨ておむつの断面図。
【図１４】（ａ）は、第１０実施形態におけるパンツ型使い捨ておむつの展開状態を示す平面図、（ｂ）は、（ａ）のａ−ａ断面図。
【発明を実施するための形態】
【００１８】
図１ないし図１４を参照して本発明における吸収性物品を具体化した一実施形態におけるパンツ型使い捨ておむつについて説明する。
〔第１実施形態〕
図１に示すように、パンツ型使い捨ておむつ１０（以下、単に「おむつ１０」という。）は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備える。
【００１９】
前身頃１０Ｆにおいて股下部１０Ｃと反対側は、人体の胴周りの部分を取り囲む胴周り部１０Ｗを構成し、上端に、胴周り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚周り開口部１０Ｌを構成している。また、前身頃１０Ｆと後身頃１０Ｒの胴周り方向の左右両端部は、接合部１１となっている。
【００２０】
図２（ａ）は、パンツ型使い捨ておむつの展開状態を示す平面図、（ｂ）は、（ａ）のａ−ａ断面図である。なお、図２（ｂ）において、右側がおむつ装着者の肌側となる。
【００２１】
前身頃１０Ｆにおける胴周り部１０Ｗは、腹側外装部としての腹側外装体１２Ｆで構成され、後身頃１０Ｒにおける胴周り部１０Ｗは、背側外装部としての背側外装体１２Ｒで構成されている。
【００２２】
腹側外装体１２Ｆおよび背側外装体１２Ｒは、胴周り方向を長手方向とした矩形形状を有している。外装体を構成するシートは、一例として、ポリエチレン、ポリプロピレン、ポリエステル、その他の熱可塑性樹脂を原料とした合成繊維からなる不織布であり、また、透液性シート、不透液性シートであってもよい。そして、腹側外装体１２Ｆは、腹側外装体１２Ｆを構成するシート間に腹側上部弾性部材１５ＦＵおよび腹側下部弾性部材１５ＦＤが挟まれて構成されている。背側外装体１２Ｒもまた、背側外装体１２Ｒを構成するシート間に背側上部弾性部材１５ＲＵおよび背側下部弾性部材１５ＲＤが挟まれて構成されている。これらの弾性部材１５ＦＵ，１５ＦＤ，１５ＲＵ，１５ＲＤは、天然ゴム、合成ゴム、ウレタンなどから選ばれる１つ以上の材料により形成された弾性体であり、糸状または紐状に形成されている。弾性部材１５ＦＵ，１５ＦＤ，１５ＲＵ，１５ＲＤは、複数本が互いに平行に、胴周り方向に沿って配置されている。
【００２３】
腹側外装体１２Ｆと背側外装体１２Ｒとは、股下部１０Ｃを構成する吸収性本体１６で連結される。吸収性本体１６は、前後方向を長手方向とした矩形形状を有している。図２（ｂ）に示すように、吸収性本体１６は、液不透過性を有したバックシート１７と、吸収体１８と、液透過性を有したトップシート１９とを備える。おむつ１０において、トップシート１９は、着用者の肌と接する内側に配置され、バックシート１７は、外側に配置される。そして、おむつ１０において、外側から、バックシート１７、吸収体１８、トップシート１９の順に重なっている。さらに、バックシート１７の外側には、手触り感を向上させるために、不織布を配置してもよい。
【００２４】
バックシート１７を形成する材料は、例えば、液不透過性を有したポリエチレン樹脂製のフィルムである。バックシート１７は、通気性を確保するため、微細孔が多数形成されている。トップシート１９を形成する材料は、例えば、織布、不織布、多孔性フィルムなどから選ばれる１以上の材料である。また、トップシート１９は、例えば、ポリプロピレン、ポリエチレン、ポリエステル、ナイロンのような熱可塑性樹脂の繊維であって親水化処理が施された繊維から構成される液透過性を有した不織布などが用いられる。
【００２５】
吸収体１８は、前身頃１０Ｆ、股下部１０Ｃ、および、後身頃１０Ｒに跨るように細長い帯形状を有している。吸収体１８は、吸収性材料の成形体と、成形体を包むコアラップとで構成されている。吸収体１８を形成する吸収性材料の成形体は、例えば、フラップパルプ、高吸収性ポリマー、親水性シートなどの吸収性材料を成形したものである。また、コアラップは、ティッシュや不織布で構成されている。そして、吸収体１８は、バックシート１７とトップシート１９との間に配置され接合される。吸収体１８は、腹側外装体１２Ｆと背側外装体１２Ｒとの間に延在され、腹側端部１８Ｆと背側端部１８Ｒとを備えている。なお、吸収体１８において、コアラップは割愛されていてもよい。吸収性本体１６は、吸収体１８の周辺部１８Ａを備えている。周辺部１８Ａは、吸収体１８が配置されていない領域であって、バックシート１７とトップシート１９とが重なった領域である。吸収性本体１６の前後方向における外装体１２Ｆ，１２Ｒと重なる領域の内面と外面は、外装体を構成するシートが接着される被接着部１６Ａとなる。被接着部１６Ａは、吸収性本体１６の前後方向の両端部であって、吸収体１８の腹側端部１８Ｆおよび背側端部１８Ｒを含む領域である。
【００２６】
吸収性本体１６には、前後方向に沿う両端部に立体ギャザー２１が配置されている。立体ギャザー２１は、トップシート１９に前後方向に沿う両端部にサイドシート２１Ｓを配置し、サイドシート２１Ｓに弾性部材２１Ｅを前後方向に沿って配置して構成されている。具体的に、サイドシート２１Ｓは、液不透過性を有した不織布などを含んだ前後方向に延びる長尺のシート体である。サイドシート２１Ｓは、前端部が腹側外装体１２Ｆと重なり、後端部が背側外装体１２Ｒと重なるように配置される。立体ギャザー２１は、弾性部材２１Ｅが収縮した際に、サイドシート２１Ｓが着用者の肌当接方向に向かって立ち上がり、脚回り開口部１０Ｌの周囲に位置する。
【００２７】
腹側外装体１２Ｆは、腹側上部領域１２ＦＵと腹側下部領域１２ＦＤとを備えている。背側外装体１２Ｒも、背側上部領域１２ＲＵと背側下部領域１２ＲＤとを備えている。
【００２８】
図２（ｂ）に示すように、腹側上部領域１２ＦＵおよび背側上部領域１２ＲＵでは、腹側上部弾性部材１５ＦＵおよび背側上部弾性部材１５ＲＵが吸収性本体１６に対して内側、すなわちトップシート１９側に配置されており、胴回り開口部１０Ａや胴周り部１０Ｗの一部を構成している。腹側下部領域１２ＦＤおよび背側下部領域１２ＲＤは、腹側下部弾性部材１５ＦＤおよび背側下部弾性部材１５ＲＤが吸収性本体１６に対して外側、すなわちバックシート１７側に配置されており、胴周り部１０Ｗの一部を構成している。
【００２９】
立体ギャザー２１の前端部と後端部は、吸収性本体１６上において、腹側下部領域１２ＦＤおよび背側下部領域１２ＲＤの股下部１０Ｃ側の下端から腹側上部領域１２ＦＵおよび背側上部領域１２ＲＵの中程まで延在される。立体ギャザー２１を構成するサイドシート２１Ｓは、弾性部材２１Ｅを挟み込むように折り返され、折り返しの前端部と後端部がシール部２３でシールされる。
【００３０】
腹側上部領域１２ＦＵには、複数本の腹側上部弾性部材１５ＦＵが胴周り方向を長手方向としたシート間において、胴周り方向における左右両端部に亘って配置されている。背側上部領域１２ＲＵには、複数本の背側上部弾性部材１５ＲＵが胴周り方向を長手方向としたシート間において、胴周り方向における左右両端部に亘って配置されている。
【００３１】
また、腹側下部領域１２ＦＤには、複数本の腹側下部弾性部材１５ＦＤが胴周り方向を長手方向としたシート間において、胴周り方向における左右両端部に亘って配置されている。背側下部領域１２ＲＤには、複数本の背側下部弾性部材１５ＲＤが胴周り方向を長手方向としたシート間において、胴周り方向における左右両端部に亘って配置されている。これら弾性部材１５ＦＵ，１５ＦＤ，１５ＲＵ，１５ＲＤは、ウェストギャザーやタミーギャザーを構成し、腹漏れや背漏れの発生を抑制する。
【００３２】
図２（ｂ）に示すように、腹側下部領域１２ＦＤおよび背側下部領域１２ＲＤは、吸収性本体１６における被接着部１６Ａのバックシート１７に直接接着されている。図２（ａ）に示すように、腹側下部弾性部材１５ＦＤは、被接着部１６Ａ上において、伸長していない状態、例えば切断された状態で配置されている。また、大半の背側下部弾性部材１５ＲＤは、被接着部１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮しひだが形成されることを抑制することができる。これにより、吸収性本体１６と肌との間に隙間を生じることを抑制でき、腹漏れや背漏れを抑制することができる。
【００３３】
複数本の背側下部弾性部材１５ＲＤのうちで背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態、すなわち切断されていない状態で配置されている。したがって、背側下部弾性部材１５ＲＤ１が配置された領域では、背側端部１８Ｒにひだ１６Ｂを形成することができる。ひだ１６Ｂが形成された背側端部１８Ｒでは、吸収体１８の厚さをひだ１６Ｂが形成されていない領域より厚くすることができる。
【００３４】
図２（ｂ）に示すように、腹側上部領域１２ＦＵは、腹側上部弾性部材１５ＦＵをシートで挟み込んだ腹側内部弾性部２７Ｆを備え、腹側下部領域１２ＦＤは、腹側下部弾性部材１５ＦＤをシートで挟み込んだ腹側外部弾性部２８Ｆを備えている。さらに、腹側上部領域１２ＦＵおよび腹側下部領域１２ＦＤは、腹側上部領域１２ＦＵと腹側下部領域１２ＦＤとを一連に繋ぐ腹側外部シート部２６Ｆとを備えている。
【００３５】
背側上部領域１２ＲＵも、背側上部弾性部材１５ＲＵをシートで挟み込んだ背側内部弾性部２７Ｒを備え、背側下部領域１２ＲＤは、背側下部弾性部材１５ＲＤをシートで挟み込んだ背側外部弾性部２８Ｒを備えている。さらに、背側上部領域１２ＲＵおよび背側下部領域１２ＲＤは、背側上部領域１２ＲＵと背側下部領域１２ＲＤとを一連に繋ぐ背側外部シート部２６Ｒとを備えている。腹側外部シート部２６Ｆおび背側外部シート部２６Ｒは、肌とは反対側の最も外側に位置するとともに、胴回り開口部１０Ａの部分で内側に折り曲げられて最も肌側に位置するシートである。
【００３６】
腹側内部弾性部２７Ｆおよび背側内部弾性部２７Ｒでは、腹側上部弾性部材１５ＦＵおよび背側上部弾性部材１５ＲＵが吸収性本体１６の被接着部１６Ａに対して内側に位置する。そして、腹側内部弾性部２７Ｆは、腹側外部シート部２６Ｆと腹側シート２７ＦＡとで腹側上部弾性部材１５ＦＵを挟み込んで構成され、腹側上部領域１２ＦＵを構成している。背側内部弾性部２７Ｒは、背側外部シート部２６Ｒと背側シート２７ＲＡとで背側上部弾性部材１５ＲＵを挟み込んで構成され、背側上部領域１２ＲＵを構成している。腹側内部弾性部２７Ｆおよび背側内部弾性部２７Ｒにおいて、腹側シート２７ＦＡおよび背側シート２７ＲＡは、被接着部１６Ａのトップシート１９に対して非接着とされる。腹側内部弾性部２７Ｆにおいて、被接着部１６Ａの周囲の領域では、腹側シート２７ＦＡと腹側外部シート部２６Ｆとが接着される。また、背側内部弾性部２７Ｒにおいて、被接着部１６Ａの周囲の領域では、背側シート２７ＲＡと背側外部シート部２６Ｒとが接着される。
【００３７】
腹側外部弾性部２８Ｆおよび背側外部弾性部２８Ｒでは、腹側下部弾性部材１５ＦＤおよび背側下部弾性部材１５ＲＤが吸収性本体１６の被接着部１６Ａに対して外側に位置する。そして、腹側外部弾性部２８Ｆは、腹側外部シート部２６Ｆと腹側シート２８ＦＡとで腹側下部弾性部材１５ＦＤを挟み込んで構成され、腹側下部領域１２ＦＤを構成している。背側外部弾性部２８Ｒは、背側外部シート部２６Ｒと背側シート２８ＲＡとで背側下部弾性部材１５ＲＤを挟み込んで構成され、背側下部領域１２ＲＤを構成している。腹側外部弾性部２８Ｆおよび背側外部弾性部２８Ｒにおいて、腹側シート２８ＦＡおよび背側シート２８ＲＡは、被接着部１６Ａのバックシート１７が接着剤２５によって接着される。腹側シート２８ＦＡおよび背側シート２８ＲＡは、被接着部１６Ａのバックシート１７の全面が接着剤２５によって接着されていてもよいし、散点状やストライプ状に接着剤２５が塗布されることによって接着されていてもよい。
【００３８】
ここで、図３（ａ）は、上部領域の接着領域を図２（ａ）に対応して示す平面図、図３（ｂ）は、下部領域の接着領域を図２（ａ）に対応して示す平面図である。
図２（ｂ）および図３（ａ）に示すように、腹側上部領域１２ＦＵにおいて、腹側外部シート部２６Ｆにおける被接着部１６Ａのバックシート１７が接着される領域が、第１接着領域２２Ａとなる。また、背側上部領域１２ＲＵにおいて、背側外部シート部２６Ｒにおける被接着部１６Ａのバックシート１７が接着される領域が、第１接着領域２２Ａとなる。
【００３９】
また、腹側上部領域１２ＦＵにおいて、腹側外部シート部２６Ｆにおける第１接着領域２２Ａの周囲が、腹側シート２７ＦＡが接着される第２接着領域２２Ｂとなる。また、背側上部領域１２ＲＵにおいて、背側外部シート部２６Ｒにおける第１接着領域２２Ａの周囲が、背側シート２７ＲＡが接着される第２接着領域２２Ｂとなる。第２接着領域２２Ｂは、吸収性本体１６の被接着部１６Ａが第１接着領域２２Ａに配置されることで、股下部１０Ｃ側に向けて凹部形状となる。この凹部形状の内側部分において、腹側内部弾性部２７Ｆは、被接着部１６Ａの肌側の内面に対して非接着部となる。これにより、腹側内部弾性部２７Ｆの腹側シート２７ＦＡと吸収性本体１６のトップシート１９との間には、腹側ポケット３０Ｆが構成される。また、背側内部弾性部２７Ｒの背側シート２７ＲＡと吸収性本体１６のトップシート１９との間には、背側ポケット３０Ｒが構成される。
【００４０】
これらポケット３０Ｆ，３０Ｒは、股下部１０Ｃ側を開口端とし、腹や背の方向に移動する尿や便などの排泄物を収容できるように構成されている。また、第２接着領域２２Ｂは、胴回り開口部１０Ａと被接着部１６Ａの前後方向の先端部との間に所定の幅を有する帯状領域３４を備え、ポケット３０Ｆ，３０Ｒに収容された排泄物が胴回り開口部１０Ａの方へ漏れることを抑制している。
【００４１】
また、図３（ｂ）に示すように、腹側下部領域１２ＦＤおよび背側下部領域１２ＲＤにおいて、腹側外部弾性部２８Ｆおよび背側外部弾性部２８Ｒは、吸収性本体１６の被接着部１６Ａのバックシート１７に対して接着される領域が第３接着領域２２Ｃとなる。
【００４２】
図２（ａ）に示すように、一例として、腹側上部領域１２ＦＵの上下方向の長さＬ１は、背側上部領域１２ＲＵの上下方向の長さＬ３より長く形成されている。
一例として、腹側上部領域１２ＦＵの上下方向の長さＬ１は、腹側外装体１２Ｆの上下方向の長さＬ２の１／２以上の長さを有している。そして、腹側上部領域１２ＦＵは、吸収体１８の前後方向における腹側端部１８Ｆと重なっている。つまり、腹側端部１８Ｆは、腹側下部領域１２ＦＤに最も近い最下段の腹側上部弾性部材１５ＦＵ（腹側上部領域１２ＦＵの下端）よりも胴回り開口部１０Ａ側に位置する。これにより、腹側ポケット３０Ｆは、大きく深いものとなり、排泄物を収容するための容積を十分確保できる。また、腹側ポケット３０Ｆに進入した尿などの排泄物は、腹側端部１８Ｆを含む吸収体１８で吸収することができる。
【００４３】
なお、腹側上部領域１２ＦＵの上下方向の長さＬ１の上限は、腹側ポケット３０Ｆの開口端と尿を排出する陰部との位置が近くなり過ぎ、尿が腹側ポケット３０Ｆに進入しにくくなることを防ぐためにも、腹側外装体１２Ｆの上下方向の長さＬ２の４／５以下であることが好ましい。
【００４４】
また、背側上部領域１２ＲＵの上下方向の長さＬ３は、背側外装体１２Ｒの上下方向の長さＬ４の１／２以下の長さを有している。これにより、背側ポケット３０Ｒの開口端（背側上部領域１２ＲＵ）の下端が臀部の割れ目の上側に位置するようにし、割れ目を伝った尿などの排泄物が背側ポケット３０Ｒの開口端に進入しやすくする。なお、背側上部領域１２ＲＵの上下方向の長さＬ３の下限は、背側ポケット３０Ｒとして機能させるための容量を確保するため、背側外装体１２Ｒの上下方向の長さＬ４の１／５以上であることが好ましい。
【００４５】
また、背側上部領域１２ＲＵは、吸収体１８の前後方向における背側端部１８Ｒと重なっていない。つまり、背側端部１８Ｒは、背側下部領域１２ＲＤに最も近い位置であって背側外部弾性部２８Ｒの最下段に位置する背側上部弾性部材１５ＲＵと重ならない。そして、最下段の背側上部弾性部材１５ＲＵ（背側上部領域１２ＲＵの下端）よりも股下部１０Ｃ側に位置する。背側ポケット３０Ｒの下側に位置する吸収性本体１６の周辺部１８Ａより厚い吸収体１８の背側端部１８Ｒは、自身の厚さによって、背側端部１８Ｒの近傍に段差を構成し、この段差によって空隙部３５（図５参照）を形成する。この空隙部３５は、背側ポケット３０Ｒの開口端が臀部によって塞がれないようにする。
【００４６】
背側上部領域１２ＲＵの近くにおいて背側上部領域１２ＲＵの下端部に沿って位置する複数本の背側下部弾性部材１５ＲＤ１は、吸収体１８の背側端部１８Ｒ上において、伸長した状態で配置され、背側端部１８Ｒにひだ１６Ｂを形成する。ひだ１６Ｂは、上下方向に沿う溝形状を有し、吸収体１８が膨潤したときでも、消えることのない程度のものである。そして、ひだ１６Ｂが形成された背側端部１８Ｒやその周辺部分では、ひだ１６Ｂが形成されていない領域より厚みが増すことになる。これにより、空隙部３５がより大きなものとなる。
【００４７】
以上、上記第１実施形態によれば以下に列挙する効果を得ることができる。
【００４８】
（１）図４に示すように、乳幼児の体型は、腹部３６側は股間部分において窪み部３７を有しており、背部３８側は、臀部３９が出っ張っている。この点、腹側上部領域１２ＦＵの上下方向の長さＬ１は、腹側外装体１２Ｆの上下方向の長さＬ２の１／２以上の長さを有している。換言すると、腹側上部領域１２ＦＵの上下方向の長さＬ１は、背側上部領域１２ＲＵの上下方向の長さＬ３より長く形成されている。したがって、腹側ポケット３０Ｆは、大きく深いものとなり、排泄物を収容するための容積を十分確保でき、腹漏れの発生を抑制することができる。また、腹部３６側の腹側ポケット３０Ｆの開口端は、窪み部３７の周辺に位置し、開きやすい状態となり、これに伴い、排泄物も腹側ポケット３０Ｆ内に進入しやすくなる。
【００４９】
（２）腹側上部領域１２ＦＵの下端部は、吸収体１８の前後方向における腹側端部１８Ｆと重なっている。つまり、腹側端部１８Ｆは、腹側上部領域１２ＦＵの下端部に存在し腹側下部領域１２ＦＤに最も近い最下段の腹側上部弾性部材１５ＦＵと重なり、当該腹側上部弾性部材１５ＦＵよりも胴回り開口部１０Ａ側に位置している。したがって、吸収体１８の腹側端部１８Ｆは、腹側ポケット３０Ｆ内に位置する。このように、吸収体１８の吸収面を無駄なく利用することで、腹側ポケット３０Ｆ内に進入した尿などの排泄物を吸収体１８で吸収することができる。この点でも、腹漏れの発生を抑制することができる。
【００５０】
（３）背部３８側では、背側上部領域１２ＲＵの上下方向の長さＬ３は、背側外装体１２Ｒの上下方向の長さＬ４の１／２以下の長さで短く、臀部の割れ目３８ａの上側に位置する。換言すると、背側上部領域１２ＲＵの上下方向の長さＬ３は、腹側上部領域１２ＦＵの上下方向の長さＬ１より短く形成されている。したがって、背側ポケット３０Ｒには、割れ目３８ａを伝った尿などの排泄物が進入しやすくなり、背漏れの発生を抑制することができる。
【００５１】
（４）背部３８側の背側ポケット３０Ｒの開口端は、一般に、出っ張った臀部３９によって押圧されることで塞がりやすく、排泄物が背側ポケット３０Ｒ内に流入しにくくなる傾向にある。この点、図５に示すように、背側上部領域１２ＲＵの下端部は、吸収体１８の背側端部１８Ｒと重なっていない。つまり、背側端部１８Ｒは、背側上部領域１２ＲＵの下側に存在し背側下部領域１２ＲＤに最も近い最下段の背側上部弾性部材１５ＲＵと重ならず、当該背側上部弾性部材１５ＲＵよりも股下部１０Ｃ側に位置する。背側外装体１２Ｒは、着用者が仰向けの姿勢でいるとき、出っ張った臀部３９により押圧される。この点、背側ポケット３０Ｒの下側に位置する吸収性本体１６の周辺部１８Ａより厚い背側端部１８Ｒは、自身の厚さによって、背側端部１８Ｒの近傍に段差を構成し、この段差によって空隙部３５を形成する。したがって、背部３８側の背側ポケット３０Ｒの開口端は、臀部３９によって塞がれることなく、排泄物を背側ポケット３０Ｒ内に案内することができ、背漏れの発生を抑制することができる。
【００５２】
（５）図５に示すように、背側端部１８Ｒと最下段に位置する背側上部弾性部材１５ＲＵとの間隔Ｃは、背側端部の厚さＴの３倍以下であることが好ましい。さらに、２倍以下であることが好ましい。これにより、空隙部３５を確実に形成することができる。なお、空隙部３５を形成するためには、背側上部弾性部材１５ＲＵとの間隔Ｃは、背側端部の厚さＴの少なくとも０．５倍以上であることが好ましい。一例として、間隔Ｃは、１５ｍｍ以下が好ましい。ここで言う背側端部１８Ｒの厚さＴは、自由状態（無負荷状態）の厚さであって、一例として、最も背側上部領域１２ＲＵに近い背側下部弾性部材１５ＲＤ１の真上の厚さである。なお、背側下部弾性部材１５ＲＤ１も他の背側下部弾性部材１５ＲＤと同様切断しているときには、ひだ１６Ｂが形成されないことから、厚さＴは、背側端部１８Ｒの何れの位置の厚さでもよい。
【００５３】
（６）背側端部１８Ｒと最下段に位置する背側上部弾性部材１５ＲＵとの間隔Ｃは、背側外装体１２Ｒの上下方向おける長さＬ４の２０％以下であることが好ましい。これにより、空隙部３５を確実に形成することができる。なお、空隙部３５を形成するためには、背側上部弾性部材１５ＲＵとの間隔Ｃは、背側外装体１２Ｒの上下方向おける長さＬ４の少なくとも３％以上であることが好ましい。一例として、間隔Ｃは、１５ｍｍ以下が好ましい。
【００５４】
（７）背側下部領域１２ＲＤにおける背側上部領域１２ＲＵに沿って位置する一部の１本または複数本の背側下部弾性部材１５ＲＤ１は、伸長状態で配置されている。したがって、背側ポケット３０Ｒの開口端の近くには、ひだ１６Ｂを形成することができる。ひだ１６Ｂが形成された背側端部１８Ｒでは、ひだ１６Ｂが形成されていないときよりも一層厚みが増す。これにより、一層空隙部３５をより大きなものとすることができ、背側ポケット３０Ｒの開口端が閉塞されにくくすることができる。
【００５５】
（８）腹側上部領域１２ＦＵおよび背側上部領域１２ＲＵでは、吸収性本体１６の被接着部１６Ａに対して、腹側外部シート部２６Ｆおよび背側外部シート部２６Ｒが接着される。すなわち、腹側上部弾性部材１５ＦＵおよび背側上部弾性部材１５ＲＵやこれら弾性部材が貼着されたシートが直接被接着部１６Ａに接着されないので、腹側上部弾性部材１５ＦＵおよび背側上部弾性部材１５ＲＵが自由に伸縮することができる。したがって、腹側上部領域１２ＦＵと背側上部領域１２ＲＵと肌との密着性が良くなり、また、着用者の動きに対する追従性を良くすることができる。この結果、腹漏れや背漏れの発生を抑制することができる。また、腹側上部弾性部材１５ＦＵおよび背側上部弾性部材１５ＲＵの伸縮が制限されないことで、腹側上部領域１２ＦＵおよび背側上部領域１２ＲＵにおける肌触りを良くすることができる。
【００５６】
（９）腹側下部弾性部材１５ＦＤは、被接着部１６Ａ上において、伸長していない状態、例えば切断された状態で配置されている。また、大半の背側下部弾性部材１５ＲＤは、被接着部１６Ａ上において、伸長していない状態、例えば切断された状態で配置されている。これにより、吸収性本体１６は、腹側下部弾性部材１５ＦＤおよび背側下部弾性部材１５ＲＤの収縮に合わせて吸収性本体１６が収縮しひだが形成されることはない。したがって、吸収性本体１６と肌との間に隙間を生じることを抑制でき、腹漏れや背漏れを抑制することができる。なお、背側ポケット３０Ｒの開口端の近くには、背側下部弾性部材１５ＲＤ１によってひだ１６Ｂが形成されるが、形成されるひだ１６Ｂの数は僅かである。したがって、ひだ１６Ｂが腹漏れや背漏れを起こす原因となるものではない。
【００５７】
（１０）腹側ポケット３０Ｆおよび背側ポケット３０Ｒの周囲において、腹側外部シート部２６Ｆおよび背側外部シート部２６Ｒと腹側シート２７ＦＡおよび背側シート２７ＲＡとが直接接着され、第２接着領域２２Ｂが大面積となる。したがって、接着領域から排泄物が漏れることを抑制することができる。また、第２接着領域２２Ｂは、胴周り開口部１０Ａと腹側ポケット３０Ｆおよび背側ポケット３０Ｒとの間の帯状領域３４も含む。したがって、腹側ポケット３０Ｆおよび背側ポケット３０Ｒの中に収容された排泄物が胴回り開口部１０Ａの方へ漏れることを抑制することができる。
【００５８】
（１１）腹側ポケット３０Ｆおよび背側ポケット３０Ｒは、吸収性本体１６の幅と同じ大きさとなる。すなわち、被接着部１６Ａの一部が接着領域として用いられることはない。したがって、腹側ポケット３０Ｆおよび背側ポケット３０Ｒが小さくなることを抑制することができる。
【００５９】
（１２）腹側外部シート部２６Ｆおよび背側外部シート部２６Ｒで吸収性本体１６を覆うことができるので意匠を良くすることができる。
（１３）腹側上部領域１２ＦＵおよび腹側下部領域１２ＦＤが腹側外部シート部２６Ｆで一連に構成されている。また、背側上部領域１２ＲＵおよび背側下部領域１２ＲＤが背側外部シート部２６Ｒで一連に構成されている。したがって、左右両側の接合部１１の近傍における境界部分に、上部領域と下部領域とを２分割したときに形成される隙間が生じない。したがって、おむつ１０を履く際にも、脚が上部領域と下部領域との間の隙間に進入してしまうことがなくなり、おむつ１０が履きにくくなることを抑制することができる。
【００６０】
（１４）おむつ１０を脱がせる際には、接合部１１を破ることになる。接合部１１においても、上部領域と下部領域とに分離されていないので、１回の作業で、接合部１１を破ることができる。
【００６１】
（１５）腹側上部領域１２ＦＵおよび腹側下部領域１２ＦＤにおいて、一連の腹側外部シート部２６Ｆおよび背側外部シート部２６Ｒが胴回り開口部１０Ａで折り返されて最も肌側の位置から最も外側の位置に跨って配設される。したがって、腹側ポケット３０Ｆおよび背側ポケット３０Ｒに収容された排泄物が胴回り開口部１０Ａから外部へ漏れることも抑制できる。
【００６２】
〔第２実施形態〕
図６に示すように、第２実施形態のおむつ４０は、腹側外部シート部２６Ｆおよび背側外部シート部２６Ｒが最も外側に位置し、腹側上部弾性部材１５ＦＵおよび背側上部弾性部材１５ＲＵが一連の腹側シート２７ＦＡおよび背側シート２７ＲＡで挟み込まれた構成を有している。なお、図６において、右側がおむつ装着者の肌側となる。
【００６３】
以上のようなおむつ４０にあっては、さらに以下のような効果を得ることができる。
（１６）腹側上部弾性部材１５ＦＵおよび背側上部弾性部材１５ＲＵを一連の腹側シート２７ＦＡおよび背側シート２７ＲＡで挟み込むので、部品点数の削減と生産効率の向上を実現できる。
【００６４】
〔第３実施形態〕
図７に示すように、第３実施形態のおむつ５０は、腹側上部弾性部材１５ＦＵおよび背側上部弾性部材１５ＲＵを別々の２枚の腹側シート２７ＦＡおよび背側シート２７ＲＡで挟み込み、さらに、当該２枚の腹側シート２７ＦＡおよび背側シート２７ＲＡは、ともに腹側外部シート部２６Ｆおよび背側外部シート部２６Ｒとも別々になっている。なお、図７において、右側がおむつ装着者の肌側となる。
【００６５】
以上のようなおむつ５０にあっては、さらに以下のような効果を得ることができる。
（１７）腹側外部シート部２６Ｆ、背側外部シート部２６Ｒ、腹側シート２７ＦＡ、および、背側シート２７ＲＡの各々を別々に使用しているので、腹側外部シート部２６Ｆ、背側外部シート部２６Ｒ、腹側シート２７ＦＡ、および、背側シート２７ＲＡのそれぞれを有効に利用することができる。例えば、これらのシートに異なる材質のシートを使用することができる。この場合、一例として、肌と接する腹側シート２７ＦＡ、および、背側シート２７ＲＡには、柔らかいシートを使用し、最外に位置する腹側外部シート部２６Ｆ、および、背側外部シート部２６Ｒには、耐水性や耐久性に富む硬めのシートを使用することができる。
【００６６】
〔第４実施形態〕
図８に示すように、第４実施形態のおむつ６０は、最も外側に位置する腹側外部シート部２６Ｆおよび背側外部シート部２６Ｒとが１枚のシートで構成されている。なお、図８において、右側がおむつ装着者の肌側となる。
【００６７】
以上のようなおむつ６０にあっては、さらに以下のような効果を得ることができる。
（１８）腹側外部シート部２６Ｆおよび背側外部シート部２６Ｒとが１枚の外部シート２６で構成されているので部品点数を削減することができる。
【００６８】
〔第５実施形態〕
図９に示すように、第５実施形態のおむつ７０は、腹側外装体１２Ｆにおいて、１枚の腹側外部シート部２６Ｆが腹側上部弾性部材１５ＦＵおよび腹側下部弾性部材１５ＦＤを挟み込んでいる。また、背側外装体１２Ｒにおいて、１枚の背側外部シート部２６Ｒが背側上部弾性部材１５ＲＵおよび背側下部弾性部材１５ＲＤを挟み込んでいる。また、腹側外部シート部２６Ｆおよび背側外部シート部２６Ｒは、肌とは反対側の最も外側に位置するとともに、胴回り開口部１０Ａで折り返されて最も肌側に位置している。外側では、腹側下部領域１２ＦＤおよび背側下部領域１２ＲＤから腹側上部領域１２ＦＵおよび背側上部領域１２ＲＵに亘って延在し、腹側外部弾性部２８Ｆおよび背側外部弾性部２８Ｒの股下部１０Ｃ側の端部で内側に折り曲げられている。内側では、腹側内部弾性部２７Ｆおよび背側内部弾性部２７Ｒの股下部１０Ｃ側の端部分で内側に折り曲げられている。なお、図９において、右側がおむつ装着者の肌側となる。
【００６９】
以上のようなおむつ７０にあっては、さらに以下のような効果を得ることができる。
（１９）腹側外装体１２Ｆにおいて、１枚の腹側外部シート部２６Ｆを使用するだけですみ、また、背側外装体１２Ｒにおいて、１枚の背側外部シート部２６Ｒを使用するだけですむので、部品点数を削減することができるとともに、製造工程を簡素化することができる。
【００７０】
〔第６実施形態〕
図１０に示すように、第６実施形態のおむつ８０は、第５実施形態のおむつ７０では各々が１枚で構成された腹側外部シート部２６Ｆおよび背側外部シート部２６Ｒの端部が内側に折り返されていたのに対して、腹側外部シート部２６Ｆおよび背側外部シート部２６Ｒの端部が外側に折り返されている。なお、図１０において、右側がおむつ装着者の肌側となる。以上のようなおむつ８０にあっても、第５実施形態のおむつ７０と同様な効果を得ることができる。
【００７１】
〔第７実施形態〕
図１１に示すように、第７実施形態のおむつ９０は、図６に示した第２実施形態のおむつ４０の変形例であり、腹側外部シート部２６Ｆおよび背側外部シート部２６Ｒが最も外側に位置し、腹側下部弾性部材１５ＦＤおよび背側下部弾性部材１５ＲＤを挟み込む構成を有している。また、腹側内部弾性部２７Ｆおよび背側内部弾性部２７Ｒは、１枚の腹側シート２７ＦＡおよび背側シート２７ＲＡによって挟まれる。なお、図１２において、右側がおむつ装着者の肌側となる。
【００７２】
以上のようなおむつ９０にあっては、さらに以下のような効果を得ることができる。
（２０）１枚の腹側外部シート部２６Ｆおよび背側外部シート部２６Ｒによって腹側外部弾性部２８Ｆおよび背側外部弾性部２８Ｒが構成されるので、腹側外部弾性部２８Ｆおよび背側外部弾性部２８Ｒの部品点数の削減と生産効率の向上を実現できる。
【００７３】
〔第８実施形態〕
図１２に示すように、第８実施形態のおむつ９１は、第７実施形態のおむつ９０の腹側内部弾性部２７Ｆと背側内部弾性部２７Ｒの向きを上下逆にしたものであり、折曲された腹側シート２７ＦＡおよび背側シート２７ＲＡの折れ目を胴回り開口部１０Ａ側にし、折れ目と反対側の端部を股下部１０Ｃ側にしたものである。なお、図１２において、右側がおむつ装着者の肌側となる。このようなおむつ９１によっても、第７実施形態のおむつ９０と同様な効果を得ることができる。
【００７４】
〔第９実施形態〕
図１３に示すように、第９実施形態のおむつ１００は、胴回り開口部１０Ａが腹側外部シート部２６Ｆおよび背側外部シート部２６Ｒと腹側内部シート部２９Ｆおよび背側内部シート部２９Ｒとによって二重シート構造となっている。おむつ１００を着用者に着用させるとき、作業者は、腹側ポケット３０Ｆおよび背側ポケット３０Ｒの開口端に指を引っかけて、おむつ１００を上側に上げる作業を行う。このため、胴回り開口部１０Ａの近傍のシートに引っ張り力が作用し、当該箇所が破け破損するおそれがある（図１３中Ａ部参照）。そこで、おむつ１００は、胴回り開口部１０Ａのシート構造を二重構造として強度を高めるようにしている。なお、図１３において、右側がおむつ装着者の肌側となる。おむつ１００では、腹側外部シート部２６Ｆと腹側内部シート部２９Ｆとが接着剤２５Ａによって接着され、互いの位置がずれないようにしている。
【００７５】
以上のようなおむつ１００にあっては、さらに以下のような効果を得ることができる。
（２１）胴回り開口部１０Ａの周辺において、腹側外部シート部２６Ｆおよび背側外部シート部２６Ｒと腹側内部シート部２９Ｆおよび背側内部シート部２９Ｒとによって二重シート構造となり、強度を高めることができる。したがって、おむつ１００を履かせるとき、指を腹側ポケット３０Ｆおよび背側ポケット３０Ｒに引っかけておむつ１００を引き上げても、引っ張り力によって、胴回り開口部１０Ａの周辺に穴などが開くなどして破損することを抑制することができる。
【００７６】
〔第１０実施形態〕
以上説明した第１実施形態のおむつ１０では、胴回り開口部１０Ａの周辺において、帯状領域３４を設けている（図２（ａ），図３（ａ）参照）。図１４（ａ）および（ｂ）に示すように、第１０実施形態のおむつ１１０では、被接着部１６Ａの前後方向の先端部を胴回り開口部１０Ａの開口端に沿う位置に配置する。これにより、腹側ポケット３０Ｆおよび背側ポケット３０Ｒを深く大きいものとすることができ、より多くの排泄物を受容することができる。このようなおむつは、上述したおむつ４０，５０，６０，７０，８０，９０，９１，１００にも適用可能である。
【００７７】
なお、上記実施形態は以下のように適宜変更して実施することもできる。
・背側下部弾性部材１５ＲＤは、被接着部１６Ａ上において、全て切断されていてもよい。これによれば、ひだ１６Ｂが形成されず、背側外部弾性部２８Ｒの肌に対する密着性を高めることができる。また、背側下部弾性部材１５ＲＤは、全て伸長した状態で配置されていてもよい。この場合、ひだ１６Ｂが多く形成されることで、吸収体１８の背側端部１８Ｒを含む背側の被接着部１６Ａを厚くすることができる。したがって、空隙部３５を確実に形成することができる。また、ひだ１６Ｂは、案内溝となって、尿などの排泄物を背側ポケット３０Ｒの開口端の方向に誘導することができる。
【００７８】
・空隙部３５を確実に形成できるのであれば、背側端部１８Ｒと最下段に位置する背側上部弾性部材１５ＲＵとの間隔Ｃは、背側外装体１２Ｒの上下方向おける長さＬ４の２０％以下でなくてもよい。
・空隙部３５を確実に形成できるのであれば、背側端部１８Ｒと最下段に位置する背側上部弾性部材１５ＲＵとの間隔Ｃは、背側端部の厚さＴの３倍以下でなくてもよい。
【００７９】
・腹側上部領域１２ＦＵは、吸収体１８の前後方向における腹側端部１８Ｆと重なっていれば、腹側端部１８Ｆは、腹側下部領域１２ＦＤに最も近い最下段の腹側上部弾性部材１５ＦＵと重なっていなくてもよい。
・背側上部領域１２ＲＵは、背側端部１８Ｒが背側外部弾性部２８Ｒの最下段に位置する背側上部弾性部材１５ＲＵと重ならないのであれば、背側端部１８Ｒと重なってもよい。例えば、最下段に位置する背側上部弾性部材１５ＲＵより下側に、シートだけが重なったシート下端部が存在する場合、背側端部１８Ｒは、臀部３９が背側ポケット３０Ｒの開口端を塞がない程度にシート下端部と重なっていてもよい。
【００８０】
・ポケット３０Ｆ，３０Ｒの形状は、股下部１０Ｃ側に開口端を備えていれば、それ以外の形状は特に限定されるものではない。例えば、ポケット３０Ｆ，３０Ｒは、例えばポケット３０Ｆ，３０Ｒの開口端の幅が狭まった全体がΩ形状を有し、開口端が股下部１０Ｃ側を向いていてもよい。これにより、ポケット３０Ｆ，３０Ｒに入った排泄物が逆戻りすることを抑制することができる。また、ポケット３０Ｆ，３０Ｒの開口端の幅が胴回り開口部１０Ａ側の辺より広くてもよい。これにより、ポケット３０Ｆ，３０Ｒに対して排泄物を入りやすくすることができる。
【００８１】
・腹側上部領域１２ＦＵと腹側下部領域１２ＦＤとは、腹側外部シート部２６Ｆで繋がっていなくてもよい。また、背側上部領域１２ＲＵと背側下部領域１２ＲＤとは、背側外部シート部２６Ｒで繋がっていなくてもよい。
【００８２】
・吸収性本体１６に対して内側に位置する腹側上部弾性部材１５ＦＵおよび背側上部領域１２ＲＵが配置された領域と外側に位置する腹側下部弾性部材１５ＦＤおよび背側下部弾性部材１５ＲＤが配置された領域とは、上下方向に同じ位置にあってもよいし、上下方向において重なっていてもよい。
【００８３】
・腹側外装体１２Ｆおよび背側外装体１２Ｒを構成するシートは、液不透過性であってもよいし、液透過性であってもよい。
・使い捨ておむつとしては、テープ型のおむつであってもよい。また、乳幼児用又は介護を必要とする高齢者や障害者等の成人用の使い捨ておむつであってもよい。
【符号の説明】
【００８４】
１０…おむつ、１０Ａ…胴周り開口部、１０Ｃ…股下部、１０Ｆ…前身頃、１０Ｌ…脚周り開口部、１０Ｒ…後身頃、１０Ｗ…胴周り部、１１…接合部、１２Ｆ…腹側外装体、１２ＦＤ…腹側下部領域、１２ＦＵ…腹側上部領域、１２Ｒ…背側外装体、１２ＲＤ…背側下部領域、１２ＲＵ…背側上部領域、１５ＦＤ…腹側下部弾性部材、１５ＦＵ…腹側上部弾性部材、１５ＲＤ…背側下部弾性部材、１５ＲＤ１…背側下部弾性部材、１５ＲＵ…背側上部弾性部材、１６…吸収性本体、１６Ａ…被接着部、１７…バックシート、１８…吸収体、１８Ａ…周辺部、１８Ｆ…腹側端部、１８Ｒ…背側端部、１９…トップシート、２１…立体ギャザー、２１Ｅ…弾性部材、２１Ｓ…サイドシート、２２Ａ…第１接着領域、２２Ｂ…第２接着領域、２２Ｃ…第３接着領域、２３…シール部、２５…接着剤、２５Ａ…接着剤、２６…外部シート、２６Ｆ…腹側外部シート部、２６Ｒ…背側外部シート部、２７Ｆ…腹側内部弾性部、２７ＦＡ…腹側シート、２７Ｒ…背側内部弾性部、２７ＲＡ…背側シート、２８Ｆ…腹側外部弾性部、２８ＦＡ…腹側シート、２８Ｒ…背側外部弾性部、２８ＲＡ…背側シート、２９Ｆ…腹側内部シート部、２９Ｒ…背側内部シート部、３０Ｆ…腹側ポケット、３０Ｒ…背側ポケット、３４…帯状領域、３５…空隙部、３６…腹部、３７…窪み部、３８…背部、３８ａ…割れ目、３９…臀部。
【図１】
2018064698.tif 000003
【図２】
2018064698.tif 000004
【図３】
2018064698.tif 000005
【図４】
2018064698.tif 000006
【図５】
2018064698.tif 000007
【図６】
2018064698.tif 000008
【図７】
2018064698.tif 000009
【図８】
2018064698.tif 000010
【図９】
2018064698.tif 000011
【図１０】
2018064698.tif 000012
【図１１】
2018064698.tif 000013
【図１２】
2018064698.tif 000014
【図１３】
2018064698.tif 000015
【図１４】
2018064698.tif 000016